(57)【要約】【課題】  前カバー、後カバー、上カバー、サイトカバー等の複数のカバー部材間の隙間を低減すると共にサイドカバーの強度を向上させた携帯機器の外装構造を提供すること。【解決手段】  サイドカバー６には、上端から下端に至る凹溝２６、上下２つの連通孔１９ａ、１９ｂ、締付ねじ穴２２等が形成されている。前カバー２は前側から、後カバー３は後側から、それぞれ凹溝２６に係合して位置決めされる。上カバー４は、上側から、前カバー２、後カバー３と係合して位置決めされる。前カバー２および後カバー３は、サイドカバー６とメインシャーシ２１との間に挟まれた状態で締付ねじ穴２２に挿通される締付ねじによって固定される。  上カバー４は、後カバー３に締付ねじによって固定される。サイドカバー６に穿設された２つの連通孔１９ａ、１９ｂは、ストラップが挿通されるストラップ取付部１９である。【選択図】  図８
2010197988.tif 000002
【特許請求の範囲】
【請求項１】
携帯機器を保護する、サイドカバーと、複数のカバー部材と、内装部材を保持するメインシャーシからなる携帯機器の外装構造であって、前記サイドカバーに形成された係合溝に前記複数のカバー部材が係合して、位置決めされ、前記複数のカバー部材が、前記サイドカバーと前記メインシャーシとによって固定されていることを特徴とする携帯機器の外装構造。
【請求項２】
前記複数のカバー部材は、少なくとも前カバーと後カバーと上カバーとからなり、前記前カバーと前記後カバーは、前記サイドカバーと前記メインシャーシとの間に挟まれた状態で締付ねじによって固定されていることを特徴とする請求項１に記載の携帯機器の外装構造。
【請求項３】
前記上カバーは、前記サイドカバーに係合すると共に、前記前カバーおよび後カバーと係合し、前記前カバーまたは前記後カバーの少なくとも一方を挟んで前記メインシャーシに締付ねじによって固定されていることを特徴とする請求項１に記載の携帯機器の外装構造。
【請求項４】
前記サイドカバーは、凹溝を含んでモールド成形され、前記上カバー、前記前カバーおよび前記後カバーは、アルミニウム等の金属素材をもって板金成形されたものであることを特徴とする請求項１〜３のいずれか１項に記載の携帯機器の外装構造。
【請求項５】
前記サイドカバーには、ストラップ取付部が形成されていることを特徴とする請求項１〜４のいずれか１項に記載の携帯機器の外装構造。
【請求項６】
前記ストラップ取付部は、サイドカバーの上端寄りおよび／または下端寄りに、近接して穿設され、内部において連通する２つの孔からなることを特徴とする請求項５に記載の携帯機器の外装構造。
【請求項７】
前記携帯機器は、請求項１〜６のいずれか１項に記載の外装構造を備える撮像装置であることを特徴とする携帯機器の外装構造。
【請求項８】
前記撮像装置は、カメラであることを特徴とする請求項７に記載の携帯機器の外装構造。
【請求項９】
前記撮像装置は、携帯情報端末装置であることを特徴とする請求項７に記載の携帯機器の外装構造。
【請求項１０】
前記メインシャーシは、撮像光学系、撮像ユニット、ストロボユニット、電池室、基板等が搭載されることを特徴とする請求項６〜９のいずれか１項に記載の携帯機器の外装構造。
【請求項１１】
携帯機器を保護する、サイドカバー、上カバーおよび複数のカバー部材と、内装部材を保持するメインシャーシからなる携帯機器の外装構造であって、
グリップ機能を有する前記サイドカバーに固定される締結部材によって、前記上カバーと前記複数のカバー部材と前記メインシャーシとが係合して位置決めされるように構成したことを特徴とする携帯機器の外装構造。
【請求項１２】
携帯機器を保護するサイドカバーおよび複数のカバー部材と、内装部材を保持するメインシャーシからなる携帯機器の外装構造であって、前記サイドカバーは、凹溝を備え少なくとも携帯機器の２方向以上を把持できるようにモールド成形されたグリップ部材からなり、
前記複数のカバー部材は、板金を折り曲げて成形され、少なくとも前カバーと後カバーと上カバーとからなり、
前記前カバーと前記グリップ部材とが携帯機器前面側で固定され、前記グリップ部材の前記凹溝に、少なくとも前記前カバーと前記後カバーと、前記上カバーのそれぞれの一部が嵌合され、前記携帯機器の側面方向で、前記グリップ部材に対し、前記前カバー、前記後カバー、前記上カバーおよび前記メインシャーシの各固定部がねじで固定されてなることを特徴とする携帯機器の外装構造。
【請求項１３】
前記サイドカバーまたは前記グリップ部材は、携帯機器の前面側と側面側とでは、表面処理を異ならせていることを特徴とする請求項１１または１２に記載の携帯機器の外装構造。
【請求項１４】
前記サイドカバーまたは前記グリップ部材の携帯機器前面側は、ローレット形状の表面処理を施してなることを特徴とする携帯機器の外装構造。
【請求項１５】
前記携帯機器は、請求項１１〜１３のいずれか１項に記載の外装構造を備える撮像装置であることを特徴とする携帯機器の外装構造。
【請求項１６】
前記撮像装置は、カメラであることを特徴とする請求項１５に記載の携帯機器の外装構造。
【請求項１７】
前記撮像装置は、携帯情報端末装置であることを特徴とする請求項１５に記載の携帯機器の外装構造。
【請求項１８】
前記メインシャーシは、撮像光学系、撮像ユニット、ストロボユニット、電池室、基板等が搭載されることを特徴とする請求項１１または１２に記載の携帯機器の外装構造。
【発明の詳細な説明】
【技術分野】
【０００１】
本発明は、携帯機器の外装構造に関し、特に、外装カバー間の隙間を低減することと、サイドカバーの強度を向上することとを両立させた携帯機器の外装構造に関する。
【背景技術】
【０００２】
従来のカメラの外装構造として、例えば特許文献１には、外観的に美しさを損ねない電子機器を提供することを目的とし、前・後の金属外装のそれぞれに、固着部で固着される内側部材と、前・後金属外装の間に配置されるサイドカバーとを備え、それぞれの内側部材により、前面及び後面の金属外装が固定されると共に、固着部を覆う位置にサイドカバーを配置して締付ねじで固定してなる電子機器が開示されている。
また、防水構造を有するものとしては、例えば特許文献２に開示されているように、筐体内外に圧力差が生じた時に、該筐体の肉薄部が内外方向へ変形するように構成することで、この内外圧力差を緩和する防水カメラが開示されている。
また、カメラを構えるときに撮影者によって把持されるグリップ部を含むカメラボディ前面の構造に関するものとして、金属製の前カバーを用いたカメラにおいて、前カバーの内面側に内装され、ボディ本体部に連結されるプラスチック製の内枠にグリップ部を一体成形し、このグリップ部を前記前カバーから表面に露呈させる構成とし、前記グリップ部の表面に凹凸を設けてなる構成が開示されている。
【発明の概要】
【発明が解決しようとする課題】
【０００３】
しかしながら、上記背景技術で述べた特許文献１に開示されている電子機器の場合、前・後の金属外装の各々に、固着部で固着される内側部材と、前・後金属外装の間に配置されるサイドカバーとを有し、それぞれの内側部材により、前・後金属外装が固定されると共に、固着部を覆う位置にサイドカバーを配置させる構成では、サイドカバーの強度が不足しサイドカバーにストラップ引掛け部を形成することはできない、という問題がある。
また、特許文献１の電子機器においては、前カバーと後カバーとの間を、フッキング部材を半抜き凸形状にかしめることで固定し、その上面をサイドカバーで覆うだけであるので、外装カバー間の隙間が生じ易く、しかも構成が複雑であることが問題となる。
さらにまた、特許文献２にあっては、水密的気密的に密閉されたカメラ筐体内部と外部との間に圧力差が生じることによる不具合を解決するものであって、特許文献１による問題点については、何ら考慮が払われていない。
また、特許文献３にあっては、あまりコストアップをせずにグリップ性を向上させる目的でなされているが、ボディ本体部の他にグリップ部を一体成形した内枠を必要とし、これらを前カバーと後カバーで覆い、グリップ部を露呈させる形式であるため、カバーの強度は弱く、カバーのサイドにストラップ掛けを形成しても強度不足となり、また前カバーと後カバーとの間に隙間が生じ易い、という難点がある。
【０００４】
本発明は、上記事情に鑑みてなされたものであって、その目的とするところは、複数のカバー部材間の隙間を低減すると共に、サイドカバーの強度を向上させ得る携帯機器の外装構造を提供することにある。
また、本発明の他の目的とするところは、サイドカバーの強度延いてはカバー全体の強度を向上させることにより、携帯機器の形態の便宜となるストラップ取付部を設けることが可能となると共に、外観品位を向上させ得る携帯機器の外装構造を提供することにある。
【課題を解決するための手段】
【０００５】
請求項１に記載の発明に係る携帯機器の外装構造は、上述した目的を達成するために、携帯機器を保護する、サイドカバーと、複数のカバー部材と、内装部材を保持するメインシャーシからなる携帯機器の外装構造であって、前記サイドカバーに形成された係合溝に前記複数のカバー部材が係合して、位置決めされ、前記複数のカバー部材が、前記サイドカバーと前記メインシャーシとによって固定されていることを特徴としている。
また、請求項２の発明に係る携帯機器の外装構造は、前記複数のカバー部材は、少なくとも前カバーと後カバーと上カバーとからなり、前記前カバーと前記後カバーは、前記サイドカバーと前記メインシャーシとの間に挟まれた状態で締付ねじによって固定されていることを特徴としている。
また、請求項３に記載の発明に係る携帯機器の外装構造は、前記上カバーが、前記サイドカバーに係合すると共に、前記前カバーおよび後カバーと係合し、前記前カバーまたは前記後カバーの少なくとも一方を挟んで前記メインシャーシに締付ねじによって固定されていることを特徴とする。
【０００６】
また、請求項４に記載の発明に係る携帯機器の外装構造は、前記サイドカバーは、凹溝を含んでモールド成形され、前記上カバー、前記前カバーおよび前記後カバーは、アルミニウム等の金属素材をもって板金成形されたものであることを特徴とする。
また、請求項５に記載の発明に係る携帯機器の外装構造は、前記サイドカバーには、ストラップ取付部が形成されていることを特徴とする。
さらに、請求項６に記載の発明に係る携帯機器の外装構造は、前記携帯機器は、前記ストラップ取付部は、サイドカバーの上端寄りおよび／または下端寄りに、近接して穿設され、内部において連通する２つの孔からなることを特徴とする。
また、請求項７に記載の携帯機器の外装構造は、携帯機器が撮像装置であることを特徴としている。
また、請求項８に記載の携帯機器の外装構造は、前記撮像装置がカメラであることを特徴としている。
また、請求項９に記載の携帯機器の外装構造は、前記撮像装置が、携帯情報端末装置であることを特徴としている。
【０００７】
また、請求項１０に記載の携帯機器の外装構造は、前記メインシャーシに、撮像光学系、撮像ユニット、ストロボユニット、電池室、基板等が搭載されることを特徴とする。
請求項１１に記載の発明に係る携帯機器の外装構造は、上述した目的を達成するために、
携帯機器を保護する、サイドカバー、上カバーおよび複数のカバー部材と、内装部材を保持するメインシャーシからなる携帯機器の外装構造であって、
グリップ機能を有する前記サイドカバーに固定される締結部材によって、前記上カバーと前記複数のカバー部材と前記メインシャーシとが係合して位置決めされるように構成したことを特徴としている。
【０００８】
また、請求項１２に記載の発明に係る携帯機器の外装構造は、上述した目的を達成するために、
携帯機器を保護するサイドカバーおよび複数のカバー部材と、内装部材を保持するメインシャーシからなる携帯機器の外装構造であって、前記サイドカバーは、凹溝を備え少なくとも携帯機器の２方向以上を把持できるようにモールド成形されたグリップ部材からなり、
前記複数のカバー部材は、板金を折り曲げて成形され、少なくとも前カバーと後カバーと上カバーとからなり、
前記前カバーと前記グリップ部材と前記上カバーとが携帯機器前面側で固定され、前記グリップ部材の前記凹溝に、少なくとも前記前カバーと前記後カバーと、前記上カバーのそれぞれの一部が嵌合され、前記携帯機器の側面方向で、前記グリップ部材に対し、前記前カバー、前記後カバー、前記上カバーおよび前記メインシャーシの各固定部がねじで固定されてなることを特徴としている。
【０００９】
また、請求項１３に記載の発明に係る携帯機器の外装構造は、前記サイドカバーまたは前記グリップ部材が、携帯機器の前面側と側面側とでは、表面処理を異ならせていることを特徴としている。
また、請求項１４に記載の発明に係る携帯機器の外装構造は、前記サイドカバーまたは前記グリップ部材の携帯機器前面側が、ローレット形状の表面処理を施してなることを特徴としている。
また、請求項１５に記載の発明に係る携帯機器の外装構造は、前記携帯機器が、請求項１１〜１３のいずれか１項に記載の外装構造を備える撮像装置であることを特徴としている。
また、請求項１６に記載の発明に係る携帯機器の外装構造は、前記撮像装置が、カメラであることを特徴としている。
また、請求項１７に記載の発明に係る携帯機器の外装構造は、前記撮像装置が、携帯情報端末装置であることを特徴としている。
また、請求項１８に記載の発明に係る携帯機器の外装構造は、前記メインシャーシが、撮像光学系、撮像ユニット、ストロボユニット、電池室、基板等が搭載されることを特徴としている。
【発明の効果】
【００１０】
本発明によれば、サイドカバーに形成された係合溝に携帯機器を保護する複数のカバー部材を係合させることにより、前カバー、後カバー、上カバーを含む複数のカバー部材が携帯機器の前後方向、左右方向および上下方向に位置決めすることができ、もって外側より見た隙間を低減させることが可能となり、さらに、複数のカバー部材がサイドカバーと内部にあるメインシャーシとによって固定されることにより、サイドカバーの強度（剛性）を向上させ得る携帯機器の外装構造を提供することができる。
また、サイドカバーの強度が向上したことにより、サイドカバーにストラップ取付部を設けることが可能な携帯機器の外装構造を提供することができる。
さらに、本発明によれば、携帯機器を保護する、サイドカバー、上カバーおよび複数のカバー部材と、内装部材を保持するメインシャーシからなる携帯機器の外装構造であって、
グリップ機能を有する前記サイドカバーに固定される締結部材によって、前記上カバーと前記複数のカバー部材と前記メインシャーシとが係合して位置決めされるように構成したことにより、複数のカバー部材間の隙間を低減すると共に、カバー全体の強度を向上させ得る携帯機器の外装構造を提供することができる。
【００１１】
さらにまた、本発明によれば、携帯機器を保護するサイドカバーおよび複数のカバー部材と、内装部材を保持するメインシャーシからなる携帯機器の外装構造であって、前記サイドカバーは、凹溝を備え少なくとも携帯機器の２方向以上を把持できるようにモールド成形されたグリップ部材からなり、
前記複数のカバー部材は、板金を折り曲げて成形され、少なくとも前カバーと後カバーと上カバーとからなり、
前記前カバーと前記グリップ部材とが携帯機器前面側で固定され、前記グリップ部材の前記凹溝に、少なくとも前記前カバーと前記後カバーと、前記上カバーのそれぞれの一部が嵌合され、前記携帯機器の側面方向で、前記グリップ部材に対し、前記前カバー、前記後カバー、前記上カバーおよび前記メインシャーシの各固定部がねじで固定されてなることにより、組立てが容易で、且つ簡単な構成で、上カバーと前カバーとの間の隙間および上カバーと後カバーとの間の隙間を同時に低減し得る携帯機器の外装構造を提供することができる。
【図面の簡単な説明】
【００１２】
【図１】本発明の第１の実施の形態に係る携帯機器の外装構造の一例として、カメラの外装構造を背面側から見た外観構成を示す斜視図である。
【図２】図１に示されるカメラを正面側から見た外観構成を示す斜視図である。
【図３】本発明の第１の実施の形態に係るカメラの外装構造を正面側から見た外観構成を示す斜視図である。
【図４】図４の（ａ）〜（ｄ）は、図３に示すカメラの外装構造の各部を部分的に破断して示すそれぞれ斜視図であり、このうち、（ａ）は、図３のＡ−Ａ線にて破断して矢視方向に見た図、（ｂ）は、図３のＢ−Ｂ線にて破断して矢視方向に見た図、（ｃ）は、図３のＣ−Ｃ線にて破断し矢視方向に見た図、（ｄ）は、図３のＥ−Ｅ線にて破断し、矢視方向に見た図である。
【図５】本発明の第１の実施の形態に係るカメラの外装構造の構成を模式的に示す正面図である。
【図６】図５に示すカメラの外装構造を模式的に示す左側面図である。
【図７】図７の（ａ）〜（ｄ）は、図６に示すカメラの外装構造の各部を部分的に破断して示すそれぞれ斜視図であり、このうち、（ａ）は、図６のＡ−Ａ線にて破断し矢視方向に見た図、（ｂ）は、図６のＢ−Ｂ線にて破断し矢視方向に見た図、（ｃ）は、Ｃ−Ｃ線にて破断し、矢視方向に見た図、（ｄ）は、Ｄ−Ｄ線にて破断し矢視方向に見た図である。
【図８】本発明の第１の実施の形態に係るカメラの外装構造におけるサイドカバーを中心とした、前カバー、後カバーおよび上カバーを順次組立てる手順を示す部分的な斜視図である。
【図９】本発明の第１の実施の形態に係るカメラの外装構造における上カバーを組み付ける手順を示す部分的な斜視図である。
【図１０】本発明の第１の実施の形態に係るカメラの外装構造の一部を構成するメインシャーシの斜視図である。
【図１１】本発明の第２の実施の形態に係る携帯機器の外装構造の一例としてのカメラの外装構造を正面側から見た外観構成を示す斜視図である。
【図１２】本発明の第２の実施の形態に係るカメラの外装構造を背面側から見た外観構成を示す斜視図である。
【図１３】図１の実施の形態の前カバーユニットを正面側から見た斜視図である。
【図１４】図１の実施の形態の前カバーユニットを内面側から見た斜視図である。
【図１５】第２の実施の形態に係るカメラの外装構造の前カバーとグリップ部材を内面側から見た斜視図である。
【図１６】第２の実施の形態に係るカメラに用いられるメインシャーシの構成を示す斜視図である。
【図１７】第２の実施の形態に係るカメラの外装構造を構成する前カバー、後カバー、上カバー、メインシャーシおよびグリップ部材（サイドカバー）を分解して背面側から見た分解斜視図である。
【図１８】図１７のカメラの外装構造を正面側から見た分解斜視図である。
【図１９】図１２に示すカメラのＡ−Ａ線矢視方向の断面を示す断面図である。
【図２０】図１２に示すカメラのＢ−Ｂ線矢視方向の断面を示す断面図である。
【発明を実施するための形態】
【００１３】
以下、本発明に係る第１の実施の形態に基づき図面を参照して本発明の携帯機器の外装構造を詳細に説明する。
本発明は、携帯機器という概念の外装構造の発明に係るものであるが、携帯機器に包含されるものとして、撮像装置、スティルカメラ（ディジタルカメラおよび銀塩フィルムを用いるカメラ）、ビデオカメラ、カメラ機能付き携帯電話等の携帯情報端末装置、さらには、ミニディスクを用いるＭＤ録／再プレーヤ、ディジタルオーディオプレーヤ等の各種携帯機器に適用が可能である。
尚、以下の説明においては、携帯機器を代表して、カメラ（特に、ディジタルカメラ）への適用例につき、詳細に説明する。
【００１４】
従来、金属の板材をプレス加工してカバー形状を形成するなどの方法で、金属の板材をカメラの外装部品として用いることが一般的に実施されている。また、高級感を出すために前・後外装を金属で構成して、カメラの厚みを実際よりも薄く見せたり、外観の変化を付与するために、前・後外装部材の間に他の外装部材を配置した外装構造は既に知られている。しかしながら、実際に外装構造の剛性を向上させると、カメラ重量が重くなるので、重量をなるべく軽くして落下に備えての落下強度の向上が要求されることになる。また、写真を撮る際には、しっかりとカメラを保持するために、保持した時の堅牢感が要求される。そこで、本発明に係るカメラの外装構造は、外装カバー間の隙間を低減すると共に、サイドカバーの強度を向上させることで上記課題を達成する。
【００１５】
以下、本発明の携帯機器の一例としてカメラを例にして、その外装構造の第１の実施形態について、図１〜図１０を参照して詳細に説明する。
図１は、本発明の第１の実施の形態に係るカメラの外装構造を備えたカメラを背面側から見た外観構成を示す斜視図であり、図２は、図１に示されるカメラを正面側から見た外観構成を示す斜視図である。
図３は、本発明の第１の実施の形態に係るカメラの外装構造を正面側から見た外観構成を示す斜視図であり、図４の（ａ）〜（ｄ）は、図３に示すカメラの外装構造の各部を部分的に破断して示すそれぞれ斜視図であり、このうち、（ａ）は、図３のＡ−Ａ線にて破断して矢視方向に見た図、（ｂ）は、図３のＢ−Ｂ線にて破断して矢視方向に見た図、（ｃ）は、図３のＣ−Ｃ線にて破断し矢視方向に見た図、（ｄ）は、図３のＥ−Ｅ線にて破断し、矢視方向に見た図である。
【００１６】
図５は、本発明の第１の実施の形態に係るカメラの外装構造の構成を模式的に示す正面図であり、
図６は、図５に示すカメラの外装構造を模式的に示す左側面図であり、
図７の（ａ）〜（ｄ）は、図６に示すカメラの外観構造の各部を部分的に破断して示すそれぞれ斜視図であり、このうち、（ａ）は、図６のＡ−Ａ線にて破断し矢視方向に見た図、（ｂ）は、図６のＢ−Ｂ線にて破断し矢視方向に見た図、（ｃ）は、Ｃ−Ｃ線にて破断し、矢視方向に見た図、（ｄ）は、Ｄ−Ｄ線にて破断し矢視方向に見た図である。
【００１７】
図８は、本発明の第１の実施の形態に係るカメラの外装構造におけるサイドカバーを中心とした、前カバー、後カバーおよび上カバーを順次組立てる手順を示す部分的な斜視図であり、
図９は、本発明の第１の実施の形態に係るカメラの外装構造における上カバーを組み付ける手順を示す部分的な斜視図である。
図１０は、本発明の第１の実施の形態に係るカメラの外装構造の一部を構成するメインシャーシの斜視図である。
図１および図２において、第１の実施の形態に係るカメラの外装構造１Ａを備えたカメラ１は、その外装構造として、その基本構成は、前カバー２、後カバー３、上カバー４、底カバー５およびサイドカバー６とからなる。前カバー２には、撮像レンズ（図示せず）の撮影光を採り入れる開口が穿設され、その開口には、撮像レンズを保持し、前後方向に進退するレンズ鏡胴７が配置され、その周辺部には、飾りリング８が取り付けられ、上端寄りには、低照度下での撮影等に照明光を発するストロボ９および補助光ＬＥＤ１０がそれぞれ取付けられている。尚、レンズ鏡胴７の中に見える横長矩形状のものは、開閉可能とされたレンズバリア１１が配設される。
【００１８】
上カバー４には、ズームレバー１２、レリーズボタン１３、電源ボタン１４、モード切替ダイヤル１５が、それぞれ配設される。
背面の後カバー３側には、モニタ用のＬＣＤ１６、ＡＤＪボタン１７、再生ボタン１８等が配設される。
側面のサイドカバー６には、上方および下方に後述するストラップ取付部としての２つの連通孔１９ａ、１９ｂからなるストラップ取付部１９が穿設されると共に、下端寄りには、メモリカードと電池（いずれも図示せず）を装着するカードスロットと電池室を被う電池蓋２０が設けられる。
底カバー５には、図示しない三脚ねじ穴が形成されるのが、一般的である。
【００１９】
本発明の第１の実施の形態に係るカメラの外装構造を示す図３および図４において、飾りリング８の内部に見えるのは、メインシャーシ２１であり、このメインシャーシ２１には、図示は省略したが、撮像光学系、撮像ユニット、ストロボユニット、電池室、メイン基板、コネクタ（ＳＤメモリ用、ＵＳＢ用）、等が保持されまたは連結されており、その一端側には、図１０に示すように、３つの締付ねじ穴２１ａ、２１ｂ、２１ｃが形成されている。
サイドパネル６に対し、前カバー２、後カバー３、上カバー４がどのように、係合、固定されるかについては、図３のＡ−Ａ線、Ｂ−Ｂ線、Ｃ−Ｃ線、Ｅ−Ｅ線にて、破断して示す図４の（ａ）〜（ｄ）にて、詳しく図示されている。
即ち、断面Ａ−Ａ線部分では、サイドカバー６の凹溝２６に対して、前・後
カバー２・３が嵌合され、断面Ｂ−Ｂ線部分では、サイドカバー６の穴に前カバー２と後カバー３が挟み込まれ、メインシャーシ２１に対し、ねじ止め固定される。断面Ｃ−Ｃ線部分では、サイドカバー６の穴に前カバー２と後カバー３が挟み込まれている。断面Ｅ−Ｅ線部分では、サイドカバー６の凹溝２６に対して、前カバー２と後カバー３が嵌合される。
【００２０】
これらの図から分かるように、サイドカバー６の両側（被写体側と、像面側）には、高さ方向全長域に、それぞれ凹溝２６が形成され、図８に矢印にて示すように、前カバー２は、前側から、後カバー３は後側からサイドカバー６の凹溝２６および図面には現れていないが、穴に挿入された後、サイドパネル６に穿設した締付ねじ穴２４に挿通した締付ねじ２３を雌ねじが形成されたメインシャーシ２１にねじ込むことで、前カバー２と後カバー３は、サイドパネル６とメインシャーシ２１の雌ねじ穴２１ａ、２１ｂに強固に固定される。
このとき、前カバー２と後カバー３は、サイドカバー６の凹溝２６によって位置決めされるので、隙間が殆ど生じない状態となる。
そして、このように強固に形成された組立ユニットの中間に位置するサイドカバー６は、剛性が向上するため、近接して形成された２つの連通孔１９ａと１９ｂにより、ストラップ取付部１９が、側面の上下に２つ形成されることになる。
即ち、ストラップ（図示せず）を一方の連通孔１９ａに先端を挿入し、他方の連通孔１９ｂからその先端を引き出し、適宜締結することで、頑丈なストラップ取付部１９とすることができる。
【００２１】
また、上カバー４は、図９に示すように、上側から下に向けて組立てられるが、サイドカバーの凹溝に上カバー４を嵌合することにより、上カバー４の位置を決めることができる。
そして、後カバー４に穿設された締付ねじ穴２４に締付ねじ２５を挿通し、メインシャーシ２１に形成された雌ねじ穴２１ｃに螺合し締付けることで、上カバー４は、確実に固定される。
尚、サイドカバー６は、合成樹脂にてモールド成形され、外観品位を向上させるために、メッキ処理されている。
また、サイドカバー６は、ストラップの引掛け強度を保つ上でも、本発明のように、前カバー２、後カバー３、上カバー４を、サイドカバー６に固定する方式は、非常に有効である。
【００２２】
本発明の携帯機器の一例として、上述と同様に、デジタルカメラを代表してその外装構造の第２の実施の形態について、図１１〜図２０を参照して説明する。
図１１は、本発明の第２の実施の形態に係る携帯機器の外装構造の一例としてのカメラの外装構造を正面側から見た外観構成を示す斜視図であり、図１２は、本発明の第２の実施の形態に係るカメラの外装構造を背面側から見た外観構成を示す斜視図である。
図１３は、図１１の実施の形態の前カバーユニットを正面から見た斜視図であり、図１４は、図１１の実施の形態の前カバーユニットを内面側から見た斜視図である。
図１５は、第２の実施の形態に係るカメラの外装構造の前カバーとグリップ部材を内面側から見た斜視図であり、図１６は、第２の実施の形態に係るカメラに用いられるメインシャーシの構成を示す斜視図であり、図１７は、第２の実施の形態に係るカメラの外装構造を構成する前カバー、後カバー、上カバー、メインシャーシおよびグリップ部材（サイドカバー）を分解して背面側から見た分解斜視図であり、図１８は、図１７のカメラの外装構造を正面側から見た分解斜視図である。
図１９は、図１２に示すカメラのＡ−Ａ線矢視方向の断面を示す断面図であり、図２０は、図１２に示すカメラのＢ−Ｂ線矢視方向の断面を示す断面図である。
【００２３】
図１１および図１２において、第２の実施の形態に係るカメラの外装構造３１Ａを備えたカメラ３１は、その外装構造３１Ａとして、その基本構成は、前カバー３２、後カバー３３、上カバー３４およびグリップ機能を有するサイドカバー（以下、「グリップ部材」と称する）３５とからなる。前カバー３２には、撮像レンズ（図示せず）の撮影光を採り入れる開口が穿設され、その開口には、撮像レンズを保持し、前後方向に進退する撮影レンズユニット３６が配置され、その周辺部には、飾りリング３７が取り付けられ、上端寄りには、低照度下での撮影等に照明光を発するストロボ３８および補助光ＬＥＤ窓３９がそれぞれ取付けられている。尚、撮影レンズユニット３６の中に見える横長矩形状のものは、開閉可能とされたレンズバリアが配設される。
上カバー３４には、ズームレバー４２、レリーズボタン４３、電源ボタン４４、モード切替ダイヤル４５が、それぞれ配設される。
背面の後カバー３３側には、モニタ用のＬＣＤ４６、多方向ボタン台座４７、多方向ボタン（キートップ）４８、再生ボタン４９等が配設される。多方向ボタン台座４７を挟んで、右側にグリップ部５０、左側に指置き部５１が設けられている。
【００２４】
側面のサイドカバーを兼ねるグリップ部材３５には、第１の実施の形態としての図１、図２等に示されるものと同等に、上方および下方に後述するストラップ取付部としての２つの連通孔３５ｃ、３５ｃからなるストラップ取付部が穿設されると共に、側面には、パソコンやＡＶ機器等のケーブル接続用端子を覆う端子カバー４１が設けられている。カメラ下面には、メモリカードと電池（いずれも図示せず）を装着可能なカードスロットと電池室を被う電池蓋４０が設けられる。
底カバーには、図示しない三脚ねじ穴が形成されるのが、一般的である。
本発明の第２の実施の形態に係るカメラの外装構造を示す図１３および図２０において、飾りリング３７の内部および後カバー３３の開口の内部に見えるのは、メインシャーシ５７であり、このメインシャーシ５７には、図示は省略したが、撮像光学系、撮像ユニット、ストロボユニット、電池室、メイン基板、コネクタ（ＳＤメモリ用、ＵＳＢ用）、等が保持されまたは連結されており、その一端側には、２つの締付ねじ穴５７ａ、５７ｂが形成されている。
【００２５】
図１３〜図１４に示す、前カバーユニット２００は、前カバー３２、グリップ部材３５、飾りリング３７、補助光ＬＥＤ窓３９等が設けられている。
グリップ部材３５は、カメラの前面方向と側面方向の２方向で把持できる形状となっており、モールド成型されている。
グリップ部材３５の前面側形状３５ａには、ローレット形状の表面処理が施されており、カメラの把持性をより向上させる効果がある。
グリップ部材３５の側面側形状３５ｂは、前面側形状３５ａとは異なる表面処理が施されており、側面側形状を細い帯状に見せることにより、カメラの厚みを実際より薄く見せる効果がある。
また、側面側形状３５ｂには、ストラップ紐を通す為の穴３５ｃが設けられている。
グリップ部材３５は、前カバー３２にねじ５２と接着剤５３で固定されている（図１４参照）。本実施の形態以外に両面テープ、圧入、それらの組み合わせによる固定も可能である。
飾りリング３７は、前カバー３２にねじ５４で固定されているが、これ以外に接着、それらの組み合わせによる固定も可能である。
【００２６】
補助光ＬＥＤ窓３９は、前カバー３２に接着剤により固定されているが、これ以外に圧入、それらの組み合わせによる固定も可能である。
図１４、図１５に示すように、前カバー３２には、グリップ部材３５との位置決め用穴３２ａ、ねじ固定用穴３２ｂ、接着固定用穴３２ｃが設けられている。
グリップ部材３５には、前カバー３２との位置決め用ボス３５ｄ、ねじ固定用ボス３５ｅ、接着固定用リブ３５ｆ、前カバー２の淵面３２ｄとの嵌合用溝３５ｇが設けられている。
前カバー３２の位置決め用穴３２ａとグリップ部材３５の位置決め用ボス３５ｄとで位置決めを行い、前カバー３２の淵面３２ｄと嵌合用溝３５ｇとで嵌合させ、ねじ２２と接着剤５３で固定し、前カバー３２とグリップ部材３５を前カバーユニット２００として一体化する。
図１６に示すように、メインシャーシとしての金属フレーム５７は、ステンレス材等の板金を曲げ加工によって形成されている。
金属フレーム５７には、金属外装カバーをグリップ部材３５の側面方向からねじにより固定するねじ固定部５７ａと５７ｂが設けられている。
【００２７】
図１５、図１７に示すように、前カバー３２には、カメラグリップ側面にねじ固定用穴３２ｅと３２ｆが設けられている。
後カバー３３には、カメラグリップ側面にねじ固定用穴３３ａと３３ｂが設けられている（図１７）。
グリップ部材３５には、後カバー３３と嵌合する為の凹溝３５ｈが上下方向全域に設けられている。凹溝３５ｈを挟んで外側にねじ固定用穴３５ｊと３５ｋ、内面側にねじ固定用穴３５ｌと３５ｍが設けられている（図１５）。
後カバー３３のねじ固定用穴３３ａと３３ｂを含む淵面をグリップ部材３５の凹溝３５ｈに嵌合させ、前カバー３２のねじ固定用穴３２ｅと３２ｆを含む淵面の内側に配置された金属フレーム５７のねじ固定部５７ａと５７ｂとをねじ５５で固定する。
グリップ部材３５の上方近傍（図１２のＡ−Ａ線にて示す部分）において、ねじ５５をグリップ部材３５のねじ固定用穴３５ｊ→後カバー３３のねじ固定用穴３３ａ→グリップ部材３５のねじ固定用穴３５ｌ→前カバー３２のねじ固定用穴３２ｅの順に挿通し、金属フレーム５７の固定部５７ａの雌ねじ部にねじ５５の雄ねじ部をねじ込むことによって、グリップ部材３５と後カバー３３と前カバー３２と金属フレーム５７とが一体的に強固に結合される。
【００２８】
また、グリップ部材３５の下方近傍（図１２のＢ−Ｂ線にて示す部分）において、ねじ５５を、グリップ部３５のねじ固定用穴３５ｋ→後カバー３３のねじ用固定穴３３ｂ→グリップ部材３５のねじ固定用穴３５ｍ→前カバー３２のねじ固定用穴３２ｆの順に挿通し、最終的に金属フレーム５７の固定部５７ｂの雌ねじ部に、ねじ５５の雄ねじ部をねじ込むことによって、グリップ部材３５と後カバー３３と前カバー３２と金属フレーム５７とが一体的に強固に結合される。
次に、図１７および図１８を主に参照して上カバーの固定方法につき説明する。
上カバー３４には、ズームレバー４２、レリーズボタン４３、電源ボタン４４、モード切替ダイヤル４５の各操作ボタンと、それらを固定保持、作動させるための各種機構部品（図示せず）と、前カバーユニット２００や後カバーユニット３００と嵌合、固定するための形状を設けたインナー部材５６が取付けられ、上カバーユニット４００と一体化されている。
インナー部材５６には、グリップ部材３５のねじ固定用穴３５ｊと対応するように、側面にねじ固定用穴５６ａが設けられている。
グリップ部材３５には、上カバー３４と嵌合するための凹溝３５ｉが設けられている。上カバー３４のグリップ部材３５上方の淵面をグリップ部材３５の凹溝３５ｉに嵌合させ、インナー部材５６のねじ固定用穴５６ａを含む淵面を金属フレーム５７のねじ固定部５７ａの内面に配置し、ねじ５５で固定する。
【００２９】
即ち、上述したところと、一部共通するが、グリップ部材３５の上方近傍において、ねじ５５をグリップ部材３５のねじ固定用穴３５ｊ→後カバー３３のねじ固定用穴３３ａ→グリップ部材３５のねじ固定用穴３５ｌ→前カバー３２の固定用穴３２ｅ→金属フレーム５７のねじ固定部５７ａの順に挿通し、最終的に上カバー３４のインナー部材５６に設けられたねじ固定用穴５６ａの雌ねじ部にねじ５５の雄ねじ部をねじ込むことによって、グリップ部材３５と後カバー３３と前カバー３２と金属フレーム５７と上カバー３４が一体的に強固に結合される。
このように、１本のねじ５５により、前カバーユニット２００、後カバーユニット３００、上カバーユニット４００および金属フレーム５７が一体的に強固に結合され、組み立てられる。
従って、組立てが容易で且つ簡易な構成で、上カバー３４と前カバー３２との間の隙間、並びに上カバー３４と後カバー３３との間の隙間を同時に低減することができる。
さらに、複数のカバー部材、即ち、前カバー３２、後カバー３３、上カバー３４とメインシャーシとしての金属フレーム５７とが、同一の締結部材であるねじ５５に係合し、固定されることで、カバー全体の強度（剛性）を向上させることができる。
【００３０】
図１９によれば、グリップ部材３５の上端近傍、即ち、図１２のＡ−Ａ線断面におけるねじ５５を中心とした断面構成が明らかであり、図２０によれば、グリップ部材３５の下端近傍、即ち、図１２のＢ−Ｂ線断面におけるねじ５５を中心とした断面構成が明らかであり、グリップ部材３５の上方のねじ５５は、その最奥部のインナー部材５６のねじ固定用穴５６ａと螺合しているのに対し、下方のねじ５５は、その最奥部の金属フレーム５７のねじ固定部５７ｂと螺合している点が異なっている。
尚、グリップ部材３５は、図１１、図１３、図１８、図１９および図２０でも分かるように、その前面側形状３５ａと、側面側形状３５ｂとの表面処理が異なっており、本発明の実施の形態においては、グリップ部材３５の前面側は、ローレット形状の表面処理を施してカメラの把持性を向上させるようにしているが、グリップ部材３５の側面側形状３５ｂは、前面側形状３５ａとは異なる表面処理が施されており、側面側形状は、細い帯状を呈し、カメラの前後方向の厚みを薄く見せるように配慮している。
【産業上の利用可能性】
【００３１】
本発明は、携帯機器を保護する、サイドカバーと複数のカバー部材と、内装部材を保持するメインシャーシからなる携帯機器の外装構造として説明したが、携帯機器である限り、実施の形態にて例示したカメラの外装構造に限らず、携帯情報端末装置、各種デジタルＩＣレコーダ、等の携帯機器に対しても充分、利用可能性がある。
【符号の説明】
【００３２】
１  カメラ
１Ａ  カメラの外装構造
２  前カバー
３  後カバー
４  上カバー
５  底カバー
６  サイドカバー
７  レンズ鏡胴
８  飾りリング
９  ストロボ
１０  補助光ＬＥＤ
１１  レンズバリア
１２  ズームレバー
１３  レリーズボタン
１４  電池ボタン
１５  モード切替ダイヤル
１６  ＬＣＤ
１７  ＡＤＪボタン
１８  再生ボタン
１９  ストラップ取付部
１９ａ、１９ｂ  ２つの連通孔
２０  電池蓋
２１  メインシャーシ
２１ａ、２１ｂ、２１ｃ  雌ねじ穴
２２  締付ねじ穴（サイドカバー用）
２３  締付ねじ（サイドカバー用）
２４  締付ねじ穴（後カバー用）
２５  締付ねじ（後カバー用）
２６  凹溝
３１  デジタルカメラ
３２  前カバー
３２ａ  位置決め用穴
３２ｂ  ネジ固定用穴
３２ｃ  接着固定用穴
３２ｄ  前カバー淵面
３２ｅ、３２ｆ、３３ａ、３３ｂ、３５ｊ、３５ｋ、３５ｌ、３５ｍ、５６ａ  ネジ固定用穴
３３  後カバー
３４  上カバー
３５  グリップ部材
３５ａ  前面側形状
３５ｂ  側面側形状
３５ｃ  穴
３５ｄ  位置決め用ボス
３５ｅ  ネジ固定用ボス
３５ｆ  接着固定用リブ
３５ｇ  嵌合用溝
３５ｈ、３５ｉ  凹溝
３６  撮影レンズユニット
３７  飾りリング
３８  ストロボ
３９  補助光ＬＥＤ窓
４０  電池蓋
４１  端子カバー
４２  ズームレバー
４３  レリーズボタン
４４  電源ボタン
４５  モード切替ダイヤル
４６  ＬＣＤ
４７  多方向ボタン台座
４８  多方向ボタン（キートップ）
４９  再生ボタン
５０  グリップ部
５１  指置き部
５２、５４、５５  ねじ
５３  接着剤
５６  インナー部材
５７  金属フレーム
５７ａ、５７ｂ  ネジ固定部
２００  前カバーユニット
３００  後カバーユニット
４００  上カバーユニット
【先行技術文献】
【特許文献】
【００３３】
【特許文献１】特開２００７−３３５１０号公報
【特許文献２】特開２００２−２６８１２４号公報
【特許文献３】特許第３２９００６３号
【図１】
2010197988.tif 000003
【図２】
2010197988.tif 000004
【図３】
2010197988.tif 000005
【図４】
2010197988.tif 000006
【図５】
2010197988.tif 000007
【図６】
2010197988.tif 000008
【図７】
2010197988.tif 000009
【図８】
2010197988.tif 000010
【図９】
2010197988.tif 000011
【図１０】
2010197988.tif 000012
【図１１】
2010197988.tif 000013
【図１２】
2010197988.tif 000014
【図１３】
2010197988.tif 000015
【図１４】
2010197988.tif 000016
【図１５】
2010197988.tif 000017
【図１６】
2010197988.tif 000018
【図１７】
2010197988.tif 000019
【図１８】
2010197988.tif 000020
【図１９】
2010197988.tif 000021
【図２０】
2010197988.tif 000022